(57)【特許請求の範囲】
【請求項１】
ユニット交換によりシステム構成が変更可能な画像形成装置であって、
第１のシステム構成に対応する印刷条件が設定されたページと、第２のシステム構成に対応する印刷条件が設定されたページと、が混在する単一ジョブを予約登録可能なジョブ登録手段と、
前記ジョブ登録手段により予約登録されたジョブに基づいて印刷を行う印刷手段と、
前記ジョブ登録手段により予約登録されたジョブに含まれるページのうち、現在の前記画像形成装置のシステム構成で印刷可能なページを抽出して前記印刷手段により印刷させる制御手段と、
前記印刷手段により印刷されていない未印刷のページを含むジョブを前記印刷手段により印刷されたページと印刷されていない未印刷のページの情報に対応付けて記憶する一時保存ジョブ記憶手段と、
前記一時保存ジョブ記憶手段に記憶されているジョブの一覧を表示する表示手段と、
を備え、
前記制御手段は、前記一時保存ジョブ記憶手段に記憶されているジョブの一覧を前記表示手段に表示する際に、現在の前記画像形成装置のシステム構成で各ジョブの未印刷のページが印刷可能であるか否かを判断し、印刷可能であると判断したジョブと、印刷不可能であると判断したジョブを異なる表示態様で表示する画像形成装置。
【請求項２】
ユニット交換によりシステム構成が変更可能な画像形成装置であって、
第１のシステム構成に対応する印刷条件が設定されたページと、第２のシステム構成に対応する印刷条件が設定されたページと、が混在する単一ジョブを予約登録可能なジョブ登録手段と、
前記ジョブ登録手段により予約登録されたジョブに基づいて印刷を行う印刷手段と、
前記ジョブ登録手段により予約登録されたジョブに含まれるページのうち、現在の前記画像形成装置のシステム構成で印刷可能なページを抽出して前記印刷手段により印刷させる制御手段と、
前記印刷手段により印刷されていない未印刷のページを含むジョブを前記印刷手段により印刷されたページと印刷されていない未印刷のページの情報に対応付けて記憶する一時保存ジョブ記憶手段と、
前記一時保存ジョブ記憶手段に記憶されているジョブの一覧を表示する表示手段と、
を備え、
前記制御手段は、前記一時保存ジョブ記憶手段に記憶されているジョブの一覧の項目として、各ジョブにおける前記第１のシステム構成で印刷可能なページ数と、前記第２のシステム構成で印刷可能なページ数を表示する画像形成装置。
【請求項３】
システム構成が変更可能な画像形成装置であって、
第１のシステム構成に対応する印刷条件が設定されたページと、第２のシステム構成に対応する印刷条件が設定されたページと、が混在する単一ジョブを予約登録可能なジョブ登録手段と、
前記ジョブ登録手段により予約登録されたジョブに基づいて印刷を行う印刷手段と、
前記ジョブ登録手段により予約登録されたジョブに含まれるページのうち、現在の前記画像形成装置のシステム構成で印刷可能なページを抽出して前記印刷手段により印刷させる制御手段と、
前記印刷手段により印刷されていない未印刷のページを含むジョブを前記印刷手段により印刷されたページと印刷されていない未印刷のページの情報に対応付けて記憶する一時保存ジョブ記憶手段と、
前記一時保存ジョブ記憶手段に記憶されているジョブの一覧を表示する表示手段と、
を備え、
前記制御手段は、前記一時保存ジョブ記憶手段に記憶されているジョブの一覧を前記表示手段に表示する際に、現在の前記画像形成装置のシステム構成で各ジョブの未印刷のページが印刷可能であるか否かを判断し、印刷可能であると判断したジョブと、印刷不可能であると判断したジョブを異なる表示態様で表示する画像形成装置。
【請求項４】
システム構成が変更可能な画像形成装置であって、
第１のシステム構成に対応する印刷条件が設定されたページと、第２のシステム構成に対応する印刷条件が設定されたページと、が混在する単一ジョブを予約登録可能なジョブ登録手段と、
前記ジョブ登録手段により予約登録されたジョブに基づいて印刷を行う印刷手段と、
前記ジョブ登録手段により予約登録されたジョブに含まれるページのうち、現在の前記画像形成装置のシステム構成で印刷可能なページを抽出して前記印刷手段により印刷させる制御手段と、
前記印刷手段により印刷されていない未印刷のページを含むジョブを前記印刷手段により印刷されたページと印刷されていない未印刷のページの情報に対応付けて記憶する一時保存ジョブ記憶手段と、
前記一時保存ジョブ記憶手段に記憶されているジョブの一覧を表示する表示手段と、
を備え、
前記制御手段は、前記一時保存ジョブ記憶手段に記憶されているジョブの一覧の項目として、各ジョブにおける前記第１のシステム構成で印刷可能なページ数と、前記第２のシステム構成で印刷可能なページ数を表示する画像形成装置。
【請求項５】
前記第１のシステム構成に対応する印刷条件が設定されたページと、前記第２のシステム構成に対応する印刷条件が設定されたページと、を単一ジョブに混在して設定可能な設定手段を備え、
前記ジョブ登録手段は、前記設定手段からの設定に基づいて、前記第１のシステム構成に対応する印刷条件が設定されたページと、前記第２のシステム構成に対応する印刷条件が設定されたページと、が混在する単一ジョブを予約登録する請求項１〜４の何れか一項に記載の画像形成装置。
【請求項６】
前記制御手段は、前記ジョブ登録手段により複数のジョブが登録されている場合は、前記複数のジョブにおける現在の前記画像形成装置のシステム構成で印刷可能なページを抽出して前記印刷手段により印刷させる請求項１〜５の何れか一項に記載の画像形成装置。
【請求項７】
前記制御手段は、前記画像形成装置のシステム構成が変更され、前記一時保存ジョブ記憶手段に記憶されたジョブにおける未印刷のページの印刷が可能となった場合に、前記印刷手段に前記未印刷のページの印刷を実行させる請求項１〜６の何れか一項に記載の画像形成装置。
【請求項８】
操作手段を備え、
前記制御手段は、前記表示手段に表示されたジョブの一覧の中から前記操作手段によりジョブが選択された場合、前記選択されたジョブに未印刷のページがあるか否かを判断し、未印刷のページがあると判断した場合は、当該未印刷のページが現在の前記画像形成装置のシステム構成で印刷可能であるか否かを判断し、前記未印刷のページが現在の前記画像形成装置のシステム構成で印刷不可能な場合は前記ユニットの交換を促す通知を前記表示手段に表示させる請求項１、請求項２、及び請求項１又は請求項２を引用する請求項５〜７の何れか一項に記載の画像形成装置。
【請求項９】
前記制御手段は、前記ジョブの一覧の項目の中から前記操作手段により選択された項目でソートして前記ジョブの一覧を表示する請求項８に記載の画像形成装置。
【請求項１０】
前記制御手段は、前記一時保存ジョブ記憶手段に記憶されているジョブの一覧の項目として、各ジョブにおける未印刷のページの有無を示す情報を表示する請求項１〜９の何れか一項に記載の画像形成装置。
【請求項１１】
前記制御手段は、前記一時保存ジョブ記憶手段に記憶されているジョブの一覧において、前記第１のシステム構成で印刷可能なページが印刷済みのジョブ又は前記第２のシステム構成で印刷可能なページが印刷済みのジョブに対しては、その旨を示す識別記号を表示する請求項２又は４に記載の画像形成装置。
【請求項１２】
前記制御手段は、前記印刷手段により印刷対象となったジョブの全てのページの印刷が完了した場合には、そのジョブを前記一時保存ジョブ記憶手段から削除する請求項１〜１１の何れか一項に記載の画像形成装置。
【請求項１３】
前記ユニットは定着器であり、前記第１のシステム構成は、第１の紙種に対応する第１の定着器を前記画像形成装置が装着した構成であり、前記第２のシステム構成は、第２の紙種に対応する第２の定着器を前記画像形成装置が装着した構成である請求項１、請求項２、請求項８、請求項９、請求項１又は請求項２を引用する請求項５〜７、及び請求項１又は請求項２を引用する請求項１０〜１２の何れか一項に記載の画像形成装置。
【請求項１４】
前記第２の定着器は封筒用の定着器であり、前記第１の定着器は封筒と異なる用紙用の定着器である請求項１３に記載の画像形成装置。
【請求項１５】
前記制御手段は、前記第２の定着器が装着されている第２のシステム構成である場合には、封筒に印刷を行う設定がなされているページのみ前記印刷手段に印刷を行わせ、前記第１の定着器が装着されている第１のシステム構成である場合には、封筒と異なる用紙に印刷を行う設定がなされているページのみ前記印刷手段に印刷を行わせる請求項１４に記載の画像形成装置。
【発明の詳細な説明】
【技術分野】
【０００１】
本発明は、画像形成装置に関する。
【背景技術】
【０００２】
従来、画像形成装置を含むシステムにおいては、要求されたジョブが効率よく実行できるようにするための各種技術が知られている。
【０００３】
例えば、特許文献１には、当初指定されていた製版装置がフル稼働しており製版装置で印刷を行ったとすると印刷完了までに時間がかかる場合に、画像形成装置での印刷に切り替わるように設定が変更される印刷システムが記載されている。
また、例えば特許文献２、３には、カラーページとモノクロページのジョブが混在している場合、サーバが、カラーページをカラー印刷可能なプリンタに、モノクロページをモノクロ印刷可能なプリンタに振り分ける印刷システムが記載されている。
また、例えば特許文献４には、カラースキャナと白黒プリンタを備えた複合機において、モノクロデータを自身のプリンタで印刷し、カラーデータを代替のカラープリンタに出力させる技術が記載されている。
【先行技術文献】
【特許文献】
【０００４】
【特許文献１】特開２００５−２１２４４３号公報
【特許文献２】特開２００５−２７１２９６号公報
【特許文献３】特開２００２−１０３７５０号公報
【特許文献４】特開２００５−６４６５７号公報
【発明の概要】
【発明が解決しようとする課題】
【０００５】
ところで、画像形成装置においては、一般的なシート状の用紙に印刷を行う際に使用する定着ユニットのほか、封筒に印刷を行う際に専用に使用する封筒用の定着ユニットを着脱可能に構成されたものがある。封筒への印刷を行うジョブを実行する際に封筒用の定着ユニットを装着することで、よりシワのよりにくい定着を行うことが可能である。
【０００６】
しかしながら、従来、封筒用の定着ユニットを装着している場合には封筒に印刷を行うジョブ（封筒ジョブ）のみが可能であり、他の用紙に画像形成を行うジョブは実行できず、逆に、封筒以外の用紙に画像形成するするジョブでは封筒ジョブは実行できないという問題があった。そのため、ユーザーは、例えば、封筒とその中身の文書をプリントしたい場合、封筒ジョブと中身用のジョブをそれぞれ予約登録して、画像形成装置のシステム構成、即ち、装着されている定着ユニットを変更しながら個別に印刷する必要があった。しかし、本来、封筒と中身は両方の印刷物がそろって初めて完成するものであり、別々のジョブに分かれていると、封筒と中身の何れか一方が印刷済みで他方が未印刷の場合、ユーザーがその旨を覚えておく必要がある等、ジョブの管理が煩雑で不便であった。
【０００７】
特許文献１〜４に記載の技術は、いずれも複数の画像形成装置を備えるシステムにおいて機能分散によりジョブを行うものであり、システム構成を可変できる一の画像形成装置において生じる上記問題を解決することはできない。
【０００８】
本発明の課題は、システム構成を変更可能な画像形成装置において、ユーザーが容易にジョブの管理ができるようにすることである。
【課題を解決するための手段】
【０００９】
上記課題を解決するため、請求項１に記載の発明は、
ユニット交換によりシステム構成が変更可能な画像形成装置であって、
第１のシステム構成に対応する印刷条件が設定されたページと、第２のシステム構成に対応する印刷条件が設定されたページと、が混在する単一ジョブを予約登録可能なジョブ登録手段と、
前記ジョブ登録手段により予約登録されたジョブに基づいて印刷を行う印刷手段と、
前記ジョブ登録手段により予約登録されたジョブに含まれるページのうち、現在の前記画像形成装置のシステム構成で印刷可能なページを抽出して前記印刷手段により印刷させる制御手段と、
前記印刷手段により印刷されていない未印刷のページを含むジョブを前記印刷手段により印刷されたページと印刷されていない未印刷のページの情報に対応付けて記憶する一時保存ジョブ記憶手段と、
前記一時保存ジョブ記憶手段に記憶されているジョブの一覧を表示する表示手段と、
を備え、
前記制御手段は、前記一時保存ジョブ記憶手段に記憶されているジョブの一覧を前記表示手段に表示する際に、現在の前記画像形成装置のシステム構成で各ジョブの未印刷のページが印刷可能であるか否かを判断し、印刷可能であると判断したジョブと、印刷不可能であると判断したジョブを異なる表示態様で表示する。
【００１０】
請求項２に記載の発明は、
ユニット交換によりシステム構成が変更可能な画像形成装置であって、
第１のシステム構成に対応する印刷条件が設定されたページと、第２のシステム構成に対応する印刷条件が設定されたページと、が混在する単一ジョブを予約登録可能なジョブ登録手段と、
前記ジョブ登録手段により予約登録されたジョブに基づいて印刷を行う印刷手段と、
前記ジョブ登録手段により予約登録されたジョブに含まれるページのうち、現在の前記画像形成装置のシステム構成で印刷可能なページを抽出して前記印刷手段により印刷させる制御手段と、
前記印刷手段により印刷されていない未印刷のページを含むジョブを前記印刷手段により印刷されたページと印刷されていない未印刷のページの情報に対応付けて記憶する一時保存ジョブ記憶手段と、
前記一時保存ジョブ記憶手段に記憶されているジョブの一覧を表示する表示手段と、
を備え、
前記制御手段は、前記一時保存ジョブ記憶手段に記憶されているジョブの一覧の項目として、各ジョブにおける前記第１のシステム構成で印刷可能なページ数と、前記第２のシステム構成で印刷可能なページ数を表示する。
【００１１】
請求項３に記載の発明は、
システム構成が変更可能な画像形成装置であって、
第１のシステム構成に対応する印刷条件が設定されたページと、第２のシステム構成に対応する印刷条件が設定されたページと、が混在する単一ジョブを予約登録可能なジョブ登録手段と、
前記ジョブ登録手段により予約登録されたジョブに基づいて印刷を行う印刷手段と、
前記ジョブ登録手段により予約登録されたジョブに含まれるページのうち、現在の前記画像形成装置のシステム構成で印刷可能なページを抽出して前記印刷手段により印刷させる制御手段と、
前記印刷手段により印刷されていない未印刷のページを含むジョブを前記印刷手段により印刷されたページと印刷されていない未印刷のページの情報に対応付けて記憶する一時保存ジョブ記憶手段と、
前記一時保存ジョブ記憶手段に記憶されているジョブの一覧を表示する表示手段と、
を備え、
前記制御手段は、前記一時保存ジョブ記憶手段に記憶されているジョブの一覧を前記表示手段に表示する際に、現在の前記画像形成装置のシステム構成で各ジョブの未印刷のページが印刷可能であるか否かを判断し、印刷可能であると判断したジョブと、印刷不可能であると判断したジョブを異なる表示態様で表示する。
【００１２】
請求項４に記載の発明は、
システム構成が変更可能な画像形成装置であって、
第１のシステム構成に対応する印刷条件が設定されたページと、第２のシステム構成に対応する印刷条件が設定されたページと、が混在する単一ジョブを予約登録可能なジョブ登録手段と、
前記ジョブ登録手段により予約登録されたジョブに基づいて印刷を行う印刷手段と、
前記ジョブ登録手段により予約登録されたジョブに含まれるページのうち、現在の前記画像形成装置のシステム構成で印刷可能なページを抽出して前記印刷手段により印刷させる制御手段と、
前記印刷手段により印刷されていない未印刷のページを含むジョブを前記印刷手段により印刷されたページと印刷されていない未印刷のページの情報に対応付けて記憶する一時保存ジョブ記憶手段と、
前記一時保存ジョブ記憶手段に記憶されているジョブの一覧を表示する表示手段と、
を備え、
前記制御手段は、前記一時保存ジョブ記憶手段に記憶されているジョブの一覧の項目として、各ジョブにおける前記第１のシステム構成で印刷可能なページ数と、前記第２のシステム構成で印刷可能なページ数を表示する。
【００１３】
請求項５に記載の発明は、請求項１〜４の何れか一項に記載の発明において、
前記第１のシステム構成に対応する印刷条件が設定されたページと、前記第２のシステム構成に対応する印刷条件が設定されたページと、を単一ジョブに混在して設定可能な設定手段を備え、
前記ジョブ登録手段は、前記設定手段からの設定に基づいて、前記第１のシステム構成に対応する印刷条件が設定されたページと、前記第２のシステム構成に対応する印刷条件が設定されたページと、が混在する単一ジョブを予約登録する。
【００１４】
請求項６に記載の発明は、請求項１〜５の何れか一項に記載の発明において、
前記制御手段は、前記ジョブ登録手段により複数のジョブが登録されている場合は、前記複数のジョブにおける現在の前記画像形成装置のシステム構成で印刷可能なページを抽出して前記印刷手段により印刷させる。
【００１５】
請求項７に記載の発明は、請求項１〜６の何れか一項に記載の発明において、
前記制御手段は、前記画像形成装置のシステム構成が変更され、前記一時保存ジョブ記憶手段に記憶されたジョブにおける未印刷のページの印刷が可能となった場合に、前記印刷手段に前記未印刷のページの印刷を実行させる。
【００１６】
請求項８に記載の発明は、請求項１、請求項２、及び請求項１又は請求項２を引用する請求項５〜７の何れか一項に記載の発明において、
操作手段を備え、
前記制御手段は、前記表示手段に表示されたジョブの一覧の中から前記操作手段によりジョブが選択された場合、前記選択されたジョブに未印刷のページがあるか否かを判断し、未印刷のページがあると判断した場合は、当該未印刷のページが現在の前記画像形成装置のシステム構成で印刷可能であるか否かを判断し、前記未印刷のページが現在の前記画像形成装置のシステム構成で印刷不可能な場合は前記ユニットの交換を促す通知を前記表示手段に表示させる。
【００１７】
請求項９に記載の発明は、請求項８に記載の発明において、
前記制御手段は、前記ジョブの一覧の項目の中から前記操作手段により選択された項目でソートして前記ジョブの一覧を表示する。
【００１８】
請求項１０に記載の発明は、請求項１〜９の何れか一項に記載の発明において、
前記制御手段は、前記一時保存ジョブ記憶手段に記憶されているジョブの一覧の項目として、各ジョブにおける未印刷のページの有無を示す情報を表示する。
【００１９】
請求項１１に記載の発明は、請求項２又は４に記載の発明において、
前記制御手段は、前記一時保存ジョブ記憶手段に記憶されているジョブの一覧において、前記第１のシステム構成で印刷可能なページが印刷済みのジョブ又は前記第２のシステム構成で印刷可能なページが印刷済みのジョブに対しては、その旨を示す識別記号を表示する。
【００２０】
請求項１２に記載の発明は、請求項１〜１１の何れか一項に記載の発明において、
前記制御手段は、前記印刷手段により印刷対象となったジョブの全てのページの印刷が完了した場合には、そのジョブを前記一時保存ジョブ記憶手段から削除する。
【００２１】
請求項１３に記載の発明は、請求項１、請求項２、請求項８、請求項９、請求項１又は請求項２を引用する請求項５〜７、及び請求項１又は請求項２を引用する請求項１０〜１２の何れか一項に記載の発明において、
前記ユニットは定着器であり、前記第１のシステム構成は、第１の紙種に対応する第１の定着器を前記画像形成装置が装着した構成であり、前記第２のシステム構成は、第２の紙種に対応する第２の定着器を前記画像形成装置が装着した構成である。
【００２２】
請求項１４に記載の発明は、請求項１３に記載の発明において、
前記第２の定着器は封筒用の定着器であり、前記第１の定着器は封筒と異なる用紙用の
定着器である。
【００２３】
請求項１５に記載の発明は、請求項１４に記載の発明において、
前記制御手段は、前記第２の定着器が装着されている第２のシステム構成である場合に
は、封筒に印刷を行う設定がなされているページのみ前記印刷手段に印刷を行わせ、前記
第１の定着器が装着されている第１のシステム構成である場合には、封筒と異なる用紙に
印刷を行う設定がなされているページのみ前記印刷手段に印刷を行わせる。
【発明の効果】
【００２５】
本発明によれば、システム構成を変更可能な画像形成装置において、ユーザーが容易にジョブの管理をすることが可能となる。
【図面の簡単な説明】
【００２６】
【図１】画像形成装置の機能的構成を示すブロック図である。
【図２】プリンタエンジンの概略構成例を示す図である。
【図３】印刷可能ジョブテーブルの一例を示す図である。
【図４】図１の制御部により実行される予約ジョブ登録処理を示すフローチャートである。
【図５】図１の制御部により実行されるページ単位設定処理を示すフローチャートである。
【図６】図１の制御部により実行される予約ジョブ実行処理を示すフローチャートである。
【図７】図１の制御部により実行される保存ジョブ実行処理を示すフローチャートである。
【図８】第２の定着ユニットを装着した際に、表示部に表示される機械状態表示画面の一例を示す図である。
【図９】ジョブの一例を示す図である。
【図１０】図９に示すジョブに基づき予約ジョブ実行処理を実行した場合の実行結果を示す図である。
【図１１】ジョブ（複数ジョブ）の一例を示す図である。
【図１２】図１１に示すジョブに基づき予約ジョブ実行処理を実行した場合の実行結果を示す図である。
【図１３ａ】図９に示すジョブを第２のシステム構成で実行した後に表示される保存ジョブリスト画面の一例を示す図である。
【図１３ｂ】図１１に示すジョブを第２のシステム構成で実行した後に表示される保存ジョブリスト画面の一例を示す図である。
【図１４】第１の定着ユニットを装着した際に、表示部に表示される機械状態表示画面の一例を示す図である。
【図１５】選択されたジョブの印刷未ページが印刷できることをユーザーに通知するためのメッセージ表示の一例を示す図である。
【図１６】全ての印刷未ページの印刷が終了した際に表示される、ジョブを削除するか否かを問い合わせるポップアップ画面の一例を示す図である。
【図１７】一時保存ジョブリストに、各ジョブの印刷未ページの有無を表示した例を示す図である。
【図１８ａ】現在のシステム構成が第１のシステム構成である場合に表示される一時保存ジョブリストの一例を示す図である。
【図１８ｂ】現在のシステム構成が第２のシステム構成である場合に表示される一時保存ジョブリストの一例を示す図である。
【発明を実施するための形態】
【００２７】
本発明の実施形態における画像形成装置の構成及び動作について、図面を用いて詳細に説明する。なお、本発明の実施の形態ではカラーの画像形成装置１を例に挙げて説明するが、本発明はこれに限らず、例えばモノクロの画像形成装置によっても本発明を実現することは可能である。
【００２８】
（画像形成装置１の構成）
以下、図を参照して本発明の実施の形態を詳細に説明する。
まず、構成を説明する。
図１に、本実施の形態における画像形成装置１の概略構成図を示す。
図１に示すように、画像形成装置１は、本体部１ａとプリンタコントローラー１ｂとから構成されている。画像形成装置１は、プリンタコントローラー１ｂのＬＡＮＩＦ（Local Area Network InterFace）１４を介してネットワーク３上の外部装置２と相互に情報の送受信が可能に接続されている。
【００２９】
本体部１ａは、画像読取部２０、操作表示部３０、プリント部４０、画像制御基板１００を備えて構成される。
【００３０】
画像読取部２０は、スキャナー２１、画像読取制御部２００等から構成される。スキャナー２１は、ＡＤＦ（Auto Document Feeder）、イメージセンサー等を備える。画像読取制御部２００は、制御部１１０からの指示に基づいてスキャナー２１を制御して、原稿の画像を読み取り、読み取られたアナログ画像信号を読取処理部１４０に出力する。ここで、画像とは、図形や写真等のイメージデータに限らず、文字や記号等のテキストデータ等も含む意である。
【００３１】
操作表示部３０は、表示部３１、操作部３２、操作表示制御部３００から構成される。
操作表示制御部３００は、制御部１１０から入力される表示信号に従って、ジョブに対する印刷条件の設定等を入力するための各種画面や各種処理結果等をＬＣＤ（Liquid Crystal Display）等から構成される表示部３１に表示させる。また、操作表示制御部３００は、各種スイッチやボタン、テンキー、操作キー群又はタッチパネルを備える操作部３２から入力される操作信号を制御部１１０に出力する。
【００３２】
プリント部４０は、入力された画像データに基づいて、電子写真方式で印刷を行う印刷手段であり、プリンタエンジン４１やプリント制御部４００を備えて構成される。
プリント制御部４００は、制御部１１０からの制御信号を受信して、プリンタエンジン４１の各部の動作を制御する。
【００３３】
図２に、プリンタエンジン４１の要部構成を示す。図２に示すように、プリンタエンジン４１は、書込処理部１９０により入力された画像データに基づき感光体ドラム５１Ｙ、５１Ｍ、５１Ｃ、５１Ｋにレーザを露光して感光体ドラム上に潜像を書き込む光学ユニット４０Ｙ、４０Ｍ、４０Ｃ、４０Ｋと、Ｙ、Ｍ、Ｃ、Ｋの各色のトナー像を形成する画像形成ユニット５０Ｙ、５０Ｍ、５０Ｃ、５０Ｋと、画像形成ユニット５０Ｙ、５０Ｍ、５０Ｃ、５０Ｋで形成されたトナー像が一時転写される中間転写体としての中間転写ベルト５６と、用紙を中間転写ベルト５６に形成されたトナー像と同期をとって２次転写ローラー５９に搬送するレジストローラー５８と、用紙上に中間転写ベルト５６上に形成されたトナー像を２次転写する２次転写ローラー５９と、用紙上にトナー像を定着させる定着ユニット６３と、用紙を排紙する排紙ローラー６１と、を含んで構成されている。各部の符号のＹ、Ｍ、Ｃ、Ｋは、それぞれ順にイエロー色、マゼンタ色、シアン色、黒色を表すものとする。
【００３４】
画像形成ユニット５０Ｙは、感光体ドラム５１Ｙと、現像器５２Ｙと、帯電器５３Ｙと、クリーナ５４Ｙと、１次転写ローラー５５Ｙとを備えて構成されている。画像形成ユニット５０Ｍ、５０Ｃ、５０Ｋも同様である。
【００３５】
ここで、プリンタエンジン４１におけるプリント動作について説明する。まず、画像形成ユニット５０Ｙにおいて、感光体ドラム５１Ｙが回転し、その表面が帯電器５３Ｙにより帯電され、光学ユニット４０Ｙのレーザ光源の露光によりその帯電部分にＹデータの画像の潜像が形成される。そして、現像器５２Ｙによりその潜像部分が現像されイエローのトナー像が形成される。そのトナー像は１次転写ローラー５５Ｙの圧接により中間転写ベルト５６に一次転写される。トナー像は、出力対象の画像データに対応するイエローの像となる。一次転写されなかったトナーは、クリーナ５４Ｙにより除去される。
【００３６】
画像形成ユニット５０Ｍ、５０Ｃ、５０Ｋについても同様に、マゼンダのトナー像、シアンのトナー像、黒のトナー像がそれぞれ同様に形成及び転写される。ローラー５７、１次転写ローラー５５Ｙ、５５Ｍ、５５Ｃ、５５Ｋ、２次転写ローラー５９の回転により、中間転写ベルト５６も回動され、ＹＭＣＫのトナー像が中間転写ベルト５６上に順に重ねられて転写される。また、給紙ローラー６８Ａ〜６８Ｃ、６９の何れかの回動により給紙トレイ６６Ａ〜６６Ｄの何れかから用紙が１枚ずつ搬送され、レジストローラー５８の回転により２次転写ローラー５９へ搬送される。
【００３７】
２次転写ローラー５９の圧接部を用紙が通過する時に、中間転写ベルト５６上のＹＭＣＫのトナー像が用紙に二次転写される。ＹＭＣＫのトナー像が転写された用紙は、定着ユニット６３を通過する。定着ユニット６３の加圧及び加熱により、ＹＭＣＫのトナー像が用紙上に定着されてカラーのトナー像が形成される。画像形成された用紙は、排紙ローラー６１により排出される。
【００３８】
用紙への画像形成後、ベルトクリーニング６２により、中間転写ベルト５６上に残留したトナーが除去される。また、２次転写ローラー５９に対して、図示しない電源からプラス極性の電流及びマイナス極性の電流を交互に切り換えて所定時間流すことにより、２次転写ローラー５９に残留したトナーが中間転写ベルト５６に再転写され、２次転写ローラー５９のクリーニングが行われる。
【００３９】
ここで、定着ユニット６３は、画像形成装置１に着脱可能に構成されている。定着ユニット６３としては、第１の定着ユニット６３１と、第２の定着ユニット６３２の２種類があり、何れか一方が画像形成装置１に装着される。第１の定着ユニット６３１は、封筒以外の用紙、即ち、封筒とは異なる用紙への印刷時に使用するための定着ユニット（通常定着器）である。第２の定着ユニット６３２は、封筒への印刷時に使用するための専用の定着ユニット（封筒定着器）である。第２の定着ユニット６３２は、例えば、定着ローラーの厚みを薄くしてシワが起こりにくくする等、封筒に特化した構成となっているため、封筒以外の用紙の定着に用いるとダメージが大きく、コストも高くなる。そのため、第２の定着ユニット６３２は封筒用の印刷に、第１の定着ユニット６３１は封筒と異なる用紙の定着に専用に用いられる。
なお、第１の定着ユニット６３１を装着したときの画像形成装置１のシステム構成を第１のシステム構成、第２の定着ユニット６３２を装着したときの画像形成装置１のシステム構成を第２のシステム構成と呼ぶ。
【００４０】
プリンタエンジン４１における定着ユニット６３の装着部には、装着された定着ユニット６３の種類を識別するユニット識別部としてのポート６３ａが設けられている。例えば、第１の定着ユニット６３１が装着されるとポート６３ａを介してプリント制御部４００に定着ユニット識別信号としてHIGH信号が出力される。第２の定着ユニット６３２が装着されるとポート６３ａを介してプリント制御部４００に定着ユニット識別信号としてLOW信号が出力される。プリント制御部４００は、この定着ユニット識別信号に基づいて、画像形成装置１のシステム構成を認識することが可能となっている。
なお、特に図示はしていないが、印刷された用紙に対し部単位で後処理（例えば、ソート、ステープル、綴じ、くるみ製本等）を施す後処理装置が接続されている構成としてもよい。
【００４１】
画像制御基板１００は、制御部１１０、不揮発メモリー１２１、ＲＡＭ（Random Access Memory）１２２、ＨＤＤ１３０、読取処理部１４０、圧縮ＩＣ１５０、ＤＲＡＭ（Dynamic Random Access Memory）制御ＩＣ１６０、画像メモリー１７０、伸張ＩＣ１８０、書込処理部１９０等を備える。
【００４２】
制御部１１０は、ＣＰＵ（Central Processing Unit）等から構成され、不揮発メモリー１２１に格納されているシステムプログラム及び各種アプリケーションプログラムの中から指定されたプログラムを読み出してＲＡＭ１２２に展開し、ＲＡＭ１２２に展開されたプログラムとの協働で、各種処理を実行し、画像形成装置１の各部を集中制御する。
【００４３】
例えば、制御部１１０は、後述する予約ジョブ登録処理を実行することにより、ジョブ登録手段としての機能を実現する。
また、制御部１１０は、後述する予約ジョブ実行処理、保存ジョブ実行処理を実行することにより、制御手段としての機能を実現する。
【００４４】
不揮発メモリー１２１は、制御部１１０で実行可能な各種処理プログラム及び各種データを記憶する。
本実施の形態において、不揮発メモリー１２１は、印刷可能ジョブテーブル１２１ａを記憶している。
図３に、印刷可能ジョブテーブル１２１ａの一例を示す。印刷可能ジョブテーブル１２１ａには、第１のシステム構成である場合（即ち、装着されている定着ユニット６３が第１の定着ユニット６３１である場合）に印刷可能なジョブ（又はページ）と、第２のシステム構成である場合（即ち、装着されている定着ユニット６３が第２の定着ユニット６３２である場合）に印刷可能なジョブ（又はページ）と、が記憶されている。図３に示すように、画像形成装置１では、第１のシステム構成の場合には、封筒とは異なる用紙に印刷するジョブ又はページの印刷が可能である。第２のシステム構成の場合には、封筒に印刷するジョブ（封筒ジョブ）又はページ（封筒ページ）の印刷が可能である。なお、画像形成装置１では、１つのジョブ中に、封筒に印刷を行う封筒ページと、封筒以外の用紙に印刷を行うページとを混在させて設定することが可能である。
【００４５】
ＲＡＭ１２２は、制御部１１０により実行される各種プログラム及びこれらプログラムに係る各種データ等を一時的に記憶するワークエリアを形成する。
例えば、ＲＡＭ１２２には、予約登録されたジョブ、給紙トレイ設定情報等が記憶される。ジョブは、画像データと、その画像データに基づき印刷を行う際の印刷条件の設定情報により構成される。ジョブに基づきプリント部４０で印刷を行うことをジョブを実行する、又は、ジョブを印刷するという。
給紙トレイ設定情報は、各給紙トレイに装着されている用紙種類の情報である。なお、用紙種類には、用紙のサイズを含む。
また、ＲＡＭ１２２は、未印刷のページ（印刷未ページという）のあるジョブ等を一時保存するための一時保存ジョブ領域を有する。
【００４６】
ＨＤＤ（Hard Disk Drive）１３０は、制御部１１０からの制御に基づいてジョブの保存及び読み出しを行う。
【００４７】
読取処理部１４０は、画像読取部２０から入力されるアナログ画像信号に、アナログ処理、Ａ／Ｄ変換処理、シェーディング処理等の各種処理を施した後、デジタル画像データを生成する。生成された画像データは、圧縮ＩＣ１５０に出力される。
【００４８】
圧縮ＩＣ１５０は、入力されたデジタル画像データに圧縮処理を施してＤＲＡＭ制御ＩＣ１６０に出力する。
【００４９】
ＤＲＡＭ制御ＩＣ１６０は、制御部１１０からの指示に従って、圧縮ＩＣ１５０による画像データの圧縮処理及び伸張ＩＣ１８０による圧縮画像データの伸張処理を制御するとともに、画像メモリー１７０への画像データの入出力制御を行う。
【００５０】
例えば、ＤＲＡＭ制御ＩＣ１６０は、画像読取部２０により読み取られた画像信号の保存指示が制御部１１０から入力されると、読取処理部１４０に入力された画像データの圧縮処理を圧縮ＩＣ１５０により実行させて、圧縮画像データを画像メモリー１７０の圧縮メモリー１７１に格納させる。また、ＤＲＡＭ制御ＩＣ１６０は、圧縮メモリー１７１に格納された圧縮画像データのプリント出力指示が制御部１１０から入力されると、圧縮メモリー１７１から圧縮画像データを読み出し、伸張ＩＣ１８０により伸張処理を施してページメモリー１７２に格納させる。さらに、ページメモリー１７２に格納された画像データのプリント出力指示が入力されると、ページメモリー１７２から画像データを読み出して書込処理部１９０に出力する。
【００５１】
画像メモリー１７０は、ＤＲＡＭ（Dynamic RAM）から構成される圧縮メモリー１７１とページメモリー１７２とを備える。圧縮メモリー１７１は、圧縮画像データを格納するためのメモリーであり、ページメモリー１７２は、プリント出力用の画像データを一時的に格納するためのメモリーである。
伸張ＩＣ１８０は、圧縮画像データに伸張処理を施して書込処理部１９０に出力する。
【００５２】
書込処理部１９０は、伸長処理されたデジタル画像データをプリンタエンジン４１に出力する。
【００５３】
次に、プリンタコントローラー１ｂの各部について説明する。プリンタコントローラー１ｂは、画像形成装置１をネットワークプリンタとして使用する場合に、ネットワーク３に接続される外部装置２から画像形成装置１に入力されるデータの管理及び制御を行うものである。
【００５４】
プリンタコントローラー１ｂは、コントローラー制御部１１、ＤＲＡＭ制御ＩＣ１２、画像メモリー１３、ＬＡＮＩＦ１４から構成される。
【００５５】
コントローラー制御部１１は、プリンタコントローラー１ｂ各部の動作を統括的に制御し、ＬＡＮＩＦ１４を介して外部装置２から入力されるプリント対象データの言語解析及びラスタライズ処理を行って、ジョブにおける印刷条件を示すジョブデータと画像データを生成して本体部１ａへ送信する。
【００５６】
ＤＲＡＭ制御ＩＣ１２は、ＬＡＮＩＦ１４により受信されたデータの画像メモリー１３への格納や、画像メモリー１３からのデータの読み出しを制御する。また、ＤＲＡＭ制御ＩＣ１２は、画像制御基板１００のＤＲＡＭ制御ＩＣ１６０とＰＣＩ（Peripheral Components Interconnect）バスで接続されており、コントローラー制御部１１からの指示に従って、プリント対象のデータに基づいて生成されたジョブデータ及び画像データを画像メモリー１３から読み出してＤＲＡＭ制御ＩＣ１６０に出力する。
【００５７】
画像メモリー１３は、ＤＲＡＭから構成され、入力されたデータを一時的に格納する。
【００５８】
ＬＡＮＩＦ１４は、ＮＩＣ（Network Interface Card）やモデム等のＬＡＮ等のネットワーク３に接続するための通信インターフェイスであり、外部装置２からデータを受信する。受信されたデータは、ＤＲＡＭ制御ＩＣ１２に出力される。
【００５９】
（画像形成装置１の動作）
次に、本実施の形態の動作を説明する。
図４に、画像形成装置１において実行される予約ジョブ登録処理のフローチャートを示す。予約ジョブ登録処理は、操作部３２から入力される指示に応じて制御部１１０と不揮発メモリー１２１に記憶されているプログラムとの協働により実行される。
【００６０】
まず、表示部３１に、ジョブ全体の設定を入力するための画面が表示され、操作部３２により予約するジョブ全体に対する印刷条件の設定が入力される（ステップＳ１）。ジョブ全体に対する設定は、例えば、部数、カラー、印刷面（片面／両面）、ページ割付、濃度、後処理に関する設定等、ジョブ全体についての印刷条件の設定である。設定された情報（設定情報）はＲＡＭ１２２に記憶される。
【００６１】
次いで、操作部３２によるページ単位設定への移行指示に基づいて、ページ単位設定処理が実行され、予約するジョブに含まれる個々のページ単位に対する印刷条件の設定が入力される（ステップＳ２）。
図５に、ステップＳ２において実行されるページ単位設定処理のフローチャートを示す。なお、本実施の形態においては、ページ単位で設定可能な印刷条件は、用紙種類であるとして説明する。
まず、表示部３１にページ単位の設定を入力するための画面（図示せず）が表示され、当該画面から操作部３２により設定対象となるページ、又はページ範囲が指定される（ステップＳ１０１）。
次いで、操作部３２により、指定されたページの印刷に使用する給紙トレイが選択される（ステップＳ１０２）。ここで、給紙トレイ６６Ａ〜６６Ｄには、異なる種類の用紙が装填されている。用紙の種類には、サイズも含む。給紙トレイの何れかを選択することで、指定されたページの印刷に使用する用紙を選択することができる。この給紙トレイの選択により、ジョブに含まれる各ページが封筒ページであるか、封筒とは異なる用紙に印刷するページであるかを設定することができる。設定された情報（設定情報）はＲＡＭ１２２に記憶される。
次いで、操作部３２により設定の終了が指示されたか否かが判断され、終了が指示されていないと判断されると（ステップＳ１０３；ＮＯ）、処理はステップＳ１０１に戻る。操作部３２により設定の終了が指示されたと判断されると（ステップＳ１０３；ＹＥＳ）処理は図４のステップＳ３に移行する。ページ単位設定処理の実行により設定手段が実現される。
【００６２】
ステップＳ３においては、予約ジョブの登録が行われる（ステップＳ３）。ステップＳ３においては、まず、画像読取部２０からＡＤＦに載置された原稿の画像が読み取られることにより、画像データが入力される。次いで、ジョブＩＤ（ファイル名）が発行され、ステップＳ１及びＳ２において設定された設定情報と画像データがジョブＩＤにより対応付けられて予約ジョブとしてＲＡＭ１２２に記憶（登録）される。
なお、ステップＳ１〜Ｓ２における印刷条件の設定を外部装置２から入力する構成とし、外部装置２からプリンタコントローラー１ｂを介して入力されたジョブの設定情報及び画像データをジョブＩＤにより対応付けて予約ジョブとしてＲＡＭ１２２に記憶（登録）することとしてもよい。
上記予約ジョブ登録処理により、第１のシステム構成に対応する印刷条件が設定されたページと、第２のシステム構成に対応する印刷条件が設定されたページと、が混在する単一ジョブを予約登録することができる。
【００６３】
予約ジョブ登録処理により予約ジョブが登録されると、予約ジョブ実行処理が実行される。図６に、予約ジョブ実行処理のフローチャートを示す。予約ジョブ実行処理は、制御部１１０と不揮発メモリー１２１に記憶されているプログラムとの協働により実行される。
【００６４】
まず、画像形成装置１のシステム構成と予約ジョブの内容に基づいて、印刷対象のページが現在のシステム構成で印刷可能なページであるか否かが判断される（ステップＳ１１）。ステップＳ１１においては、印刷可能ジョブテーブル１２１ａと実行されているジョブの該当ページの設定情報に基づいて判断される。
印刷対象のページが現在のシステム構成で印刷可能なページであると判断されると（ステップＳ１１；ＹＥＳ）、ジョブに基づいてプリント部４０により印刷が実行され、印刷されたページの印刷フラグが「済」に設定され（ステップＳ１２）、処理はステップＳ１４に移行する。
一方、現在のシステム構成で印刷できないページであると判断されると（ステップＳ１；ＮＯ）、該当ページの印刷フラグが「未」に設定され（ステップＳ１３）、処理はステップＳ１４に移行する。
【００６５】
ステップＳ１４においては、ジョブの全ページについてステップＳ１１〜ステップＳ１３の処理が終了したか否かが判断される。全ページについてステップＳ１１〜ステップＳ１３の処理が終了していないと判断されると（ステップＳ１４；ＮＯ）、処理はステップＳ１１に戻り、次のページについてステップＳ１１〜Ｓ１３の処理が実行される。
【００６６】
ステップＳ１４において、全ページについてステップＳ１１〜ステップＳ１３の処理が終了したと判断されると（ステップＳ１４；ＹＥＳ）、実行したジョブに印刷未ページ（印刷フラグが「未」の、印刷されていないページ）が存在するか否かが判断される（ステップＳ１５）。印刷未ページが存在すると判断されると（ステップＳ１５；ＹＥＳ）、ジョブ（設定情報＋画像データ）がＲＡＭ１２２の一時保存ジョブ領域に保存され（ステップＳ１６）、処理はステップＳ１７に移行する。このとき、ＲＡＭ１２２に記憶されているジョブ管理テーブルのページ毎の印刷フラグがジョブに対応付けて記憶される。印刷未ページがないと判断されると（ステップＳ１５；ＮＯ）、処理はステップＳ１７に移行する。
【００６７】
ステップＳ１７においては、次に実行すべき予約ジョブが存在するか否かが判断され、存在すると判断されると（ステップＳ１７；ＹＥＳ）、処理はステップＳ１１に戻り、次のジョブについてステップＳ１１〜ステップＳ１６の処理が実行される。次に実行すべき予約ジョブが存在しないと判断されると（ステップＳ１７；ＮＯ）、予約ジョブ実行処理は終了する。
【００６８】
一時保存されたジョブは、以下の保存ジョブ実行処理により印刷することができる。
図７に、画像形成装置１において実行される保存ジョブ実行処理のフローチャートを示す。保存ジョブ実行処理は、操作部３２から入力される指示に応じて制御部１１０と不揮発メモリー１２１に記憶されているプログラムとの協働により実行される。
【００６９】
まず、操作部３２による一時保存ジョブリストの表示指示に応じて、ＲＡＭ１２２の一時保存ジョブ領域に保存されているジョブの一覧である一時保存ジョブリストが生成され、表示部３１に表示される（ステップＳ２１。図１３ａ、図１３ｂ等参照。）。一時保存ジョブリストの中から操作部３２によりジョブが選択されると（ステップＳ２２；ＹＥＳ）、選択されたジョブに対応付けられている印刷フラグに基づいて、選択されたジョブに印刷未ページがあるか否かが判断される（ステップＳ２３）。選択されたジョブに印刷未ページがないと判断されると（ステップＳ２３；ＮＯ）、保存ジョブ実行処理は終了する。
【００７０】
選択されたジョブに印刷未ページがあると判断されると（ステップＳ２３；ＹＥＳ）、現在の画像形成装置１のシステム構成と選択されたジョブの内容に基づいて、現在のシステム構成で印刷できる印刷未ページがあるか否かが判断される（ステップＳ２４）。ステップＳ２４においては、具体的には、印刷可能ジョブテーブル１２１ａと選択されたジョブの各ページの印刷フラグ及び設定情報に基づいて判断される。
【００７１】
ステップＳ２４において、現在のシステム構成で印刷できるページがないと判断されると（ステップＳ２４；ＮＯ）、定着ユニット６３の交換を促す通知（即ち、システム構成の変更を促す通知）が表示部３１に表示される（ステップＳ２５。図１３ａ、図１３ｂ等参照。）。ポート６３ａから出力される信号により定着ユニット６３の交換が実施されたことが認識されると（ステップＳ２６；ＹＥＳ）、処理はステップＳ２３に戻る。
【００７２】
一方、現在のシステム構成で印刷できる印刷未ページがあると判断されると（ステップＳ２４；ＹＥＳ）、現在のシステム構成で印刷未ページが印刷できる旨が表示部３１に表示され（ステップＳ２７。図１５参照。）、操作部３２による出力指示に応じて、プリント部４０により現在のシステム構成で印刷可能な印刷未ページが印刷される（ステップＳ２８）。印刷完了後、全ての印刷未ページが印刷されたか否かが判断される（ステップＳ２９）。全ての印刷未ページが印刷されていないと判断されると（ステップＳ２９；ＮＯ）、保存ジョブ実行処理は終了する。全ての印刷未ページが印刷されたと判断されると（ステップＳ２９；ＹＥＳ）、ジョブを削除するか否かを問い合わせるポップアップ画面が表示部３１にポップアップ表示される（ステップＳ３０。図１６参照。）。
ポップアップ画面から操作部３２により削除が指示されると（ステップＳ３１；ＹＥＳ）、全ての印刷未ページが印刷されたジョブがＲＡＭ１２２の一時保存ジョブ領域から削除され（ステップＳ３２）、保存ジョブ実行処理は終了する。ポップアップ画面から操作部３２により削除しない指示がなされると（ステップＳ３１；ＮＯ）、ジョブが削除されずに保存ジョブ実行処理は終了する。
【００７３】
ここで、予約ジョブ登録処理〜保存ジョブ実行処理について、ジョブの一例を挙げて説明する。
例えば、画像形成装置１が第２のシステム構成（装着されている定着ユニット６３が封筒用の第２の定着ユニット）である場合、表示部３１には、図８に示すような機械状態表示画面３１１が表示される。機械状態表示画面３１１には、封筒用の第２の定着ユニット６３２が装着されており封筒ジョブ又は封筒ページのみが印刷可能であることをユーザーに通知するために、封筒限定マークＭ１、Ｍ２が表示される。また、表示部３１には、表示する画面を選択するためのタブＴ１〜Ｔ５が設けられており、タブを選択することで、表示する画面を変更することができる。
【００７４】
このような機械状態表示画面３１１が表示されている状態で、予約ジョブ登録処理で図９に示すジョブ（Ｊｏｂ１）を登録し、予約ジョブ実行処理を実行した場合、図１０に示す処理結果となる。即ち、封筒ページである２ページ目、３ページ目が印刷済みとなり、それ以外の１、４、５が未印刷となる。印刷未ページがあるため、このジョブはＲＡＭ１２２の一時保存ジョブ領域に保存される。予約されたジョブが複数ある場合、予約ジョブ実行処理では、複数の予約ジョブを実行することができる。例えば、図１１に示すような複数の予約ジョブ（Ｊｏｂ１〜Ｊｏｂ３）を実行した場合は、図１２に示す処理結果となる。即ち、ＪＯｂ１の２ページ目、３ページ目と、ＪＯｂ２の全てのページが印刷済みとなり、ＪＯｂ３は全てのページが印刷未ページとなる。この場合、ＪＯｂ１とＪＯｂ３は一時保存ジョブ領域に保存されるが、ＪＯｂ２は印刷未ページがないため、保存されずに削除される。
【００７５】
予約ジョブ実行処理の終了後、操作部３２により表示部３１に表示されている機械状態表示画面３１１から「ジョブリスト」タブＴ２を押下すると、保存ジョブリスト画面３１２を表示することができる。この保存ジョブリスト画面３１２における操作部３２の操作に応じて、図７で説明した保存ジョブ実行処理が実行される。
【００７６】
図１３ａ、図１３ｂに、保存ジョブリスト画面３１２の一例を示す。図１３ａは、図９に示すジョブを第２のシステム構成で実行した後に表示される保存ジョブリスト画面３１２である。図１３ｂは、図１１に示すジョブを第２のシステム構成で実行した後に表示される保存ジョブリスト画面３１２である。
図１３ａ、図１３ｂに示すように、保存ジョブリスト画面３１２には、一時保存ジョブリスト表示欄３１２ａ、選択ジョブ詳細表示欄３１２ｂ、出力ボタン３１２ｃが表示される。一時保存ジョブリスト表示欄３１２ａは、ＲＡＭ１２２の一時保存ジョブ領域に保存されているジョブの一覧を表示する欄である。選択ジョブ詳細表示欄３１２ｂは、一時ジョブ保存領域の中から操作部３２により選択されたジョブに関する詳細内容を表示する欄である。出力ボタン３１２ｃは、現在選択されているジョブの実行を指示するためのボタンである。
図１３ａ、図１３ｂにおいて、一時保存ジョブリスト表示欄３１２ａに表示されるジョブは、第２のシステム構成では印刷不可能で未印刷となったページが存在するジョブである。よって、第２のシステム構成で全てのページの印刷が完了し削除される図９に示すＪＯｂ２については、図１３ｂに示すように、一時保存ジョブリスト表示欄３１２ａには表示されない。
一時保存ジョブリスト表示欄３１２ａからジョブ（ここでは、Ｊｏｂ１）が選択されると、図１３ａ、図１３ｂに示すように、選択ジョブ詳細表示欄３１２ｂに「印刷未ページが存在します。定着器を通常定着器にしてください」という、定着器の交換を促すメッセージが表示される。ユーザーは、このメッセージにより、選択したジョブを実行するには定着ユニットの交換が必要であることを認識することができる。
【００７７】
通常定着器への交換を促すメッセージが表示され、ユーザーが定着ユニット交換を行い、通常定着器である第１の定着ユニット６３１を装着すると、表示部３１に表示される機械状態表示画面３１１の表示は、図１４に示す表示となる。即ち、図８の機械状態表示画面３１１に表示されていた封筒限定マークＭ１、Ｍ２の表示が解除される。ユーザーは、封筒限定マークＭ１、Ｍ２がないことから、封筒ジョブ（又はページ）以外の実行が可能であることを認識することができる。この状態で、「ジョブリスト」タブＴ２を押下して表示される一時保存ジョブリスト表示欄３１２ａから、図１３ａ、図１３ｂにおいて選択したファイル名「ＪＯｂ１」のジョブを再度選択すると、図１５に示すように、選択ジョブ詳細表示欄３１２ｂには「印刷未ページが存在します。現在のシステム構成で印刷できます」等の、印刷未ページが印刷できることをユーザーに通知するためのメッセージが表示される。なお、制御部１１０において、定着器が交換された後、直接図１５の表示を行うよう制御を行ってもよい。また、制御部１１０において、定着器が交換された後、図１３ａ、図１３ｂで選択されていたジョブの印刷未ページを自動的にプリント部４０により印刷するよう制御することとしてもよい。
【００７８】
出力ボタン３１２ｃが押下されると、選択されたジョブの印刷未ページの印刷が実行される。第１のシステム構成で印刷可能な全ての印刷未ページ（例えば、Ｊｏｂ１のページ１、４、５）の印刷が終了すると、ジョブを削除するか否かを問い合わせるポップアップ画面３２３が表示部３１に表示される。図１６に、ポップアップ画面３２３の一例を示す。図１６に示すように、ポップアップ画面３２３には、「プリント完了しました。このジョブを削除しますか」というメッセージ３２３ａと、ジョブ削除を指示するための「はい」ボタン３２３ｂと、ジョブを削除しないことを指示するための「いいえ」ボタン２３２ｃと、が表示される。「はい」ボタン３２３ｂが押下されると、ＲＡＭ１２２の一時保存ジョブ領域から該当するジョブが削除される。「いいえ」ボタン３２３ｃが押下されると、該当するジョブは削除されずに保存されたままとなる。これにより、ユーザーにとって必要のない余分なジョブが保存されていることによるメモリー容量の圧迫を抑えることができる。
【００７９】
なお、保存ジョブリスト画面３１２の表示については、上述したものに限定されず、制御部１１０の制御により、以下の表示を行うこととしてもよい。例えば、図１７の保存ジョブリスト画面３１２に示すように、一時保存ジョブリスト表示欄３１２ａに「未出力」欄Ｆ１を表示して、一時保存領域に保存されている各ジョブの印刷未ページの有無を表示してもよい。また、印刷未ページの内容が画像形成装置１のシステム構成に適合しておらず印刷不可能なジョブについては、印刷可能なジョブと文字色や書体を変える等の異なる表示態様とすることにより両者を識別可能に（明示的に）表示してもよい。このように表示すれば、ユーザーがジョブを選択操作しなくても各ジョブの印刷未ページの有無や現在のシステム構成で印刷未ページの印刷が可能なジョブと不可能なジョブを認識することが可能となり、利便性が向上する。
【００８０】
また、図１８ａ、図１８ｂに示すように、一時保存ジョブリスト表示欄３１２ａにおいてジョブのページ数を示す「ページ」欄を「通常ページ」欄と「封筒ページ」欄に分けて表示することとしてもよい。「通常ページ欄」は、封筒と異なる用紙に印刷するページ数である。即ち、第１のシステム構成で印刷可能なページ数と、第２のシステム構成で印刷可能なページ数の欄を分けて表示してもよい。また、印刷済みの場合には、ページ数の欄に「＊」等の、印刷済みであることを示す識別マーク（識別記号）を付与することとしてもよい。
「通常ページ」欄と「封筒ページ」欄に分けて表示することによって、ユーザーが各ジョブにおいて第１のシステム構成で印刷可能な通常ページと第２のシステム構成で印刷可能な封筒ページがそれぞれ何ページずつあるのかを容易に把握することができる。また、印刷済みのページ数に印刷済みであることを示す識別マークを付与することで、ユーザーが各ジョブの印刷済み状況を容易に把握することが可能となる。
また、現在のシステム構成で印刷不可能なページについては印刷できないことを示す網掛け表示等を表示してもよい。図１８ａは、現在のシステム構成が通常定着器、即ち、第１のシステム構成である場合に表示される保存ジョブリスト画面３１２の一例を示している。この場合、「封筒ページ」の欄を網掛け表示する。図１８ｂは、現在のシステム構成が封筒定着器、即ち、第２のシステム構成である場合に表示される保存ジョブリスト画面３１２の一例を示している。この場合、「通常ページ」の欄を網掛け表示する。このように表示することで、ユーザーは、現在のシステム構成で印刷できるページを容易に把握することが可能となる。
また、現在のシステム構成で印刷可能な印刷未ページがないジョブ、現在のシステム構成で印刷すれば全ページの印刷が完了するジョブ、現在のシステム構成で印刷可能であるが全ページの印刷は完了しないジョブ、のそれぞれの文字を色分けして表示することとしてもよい。このようにすれば、ユーザーは、一目でこれらの区別をつけることができ、ジョブ管理が容易になる。
また、一時保存ジョブリスト表示欄３１２ａの各欄（項目）でソート可能な構成としてもよい。例えば、図１８ａにおいて、「封筒ページ」欄でソートすると「＊」を上位に集めることができる。これにより、あと通常ページの印刷をすると全ページの印刷が完了するジョブをユーザーは容易に把握することが可能となる。
【００８１】
以上説明したように、画像形成装置１によれば、第１のシステム構成に対応する印刷条件が設定されたページと、第２のシステム構成に対応する印刷条件が設定されたページと、が混在する単一ジョブを予約登録可能であり、制御部１１０は、予約登録されたジョブに含まれるページのうち、現在の前記画像形成装置のシステム構成で印刷可能なページを抽出してプリント部４０により印刷させる。
【００８２】
従って、ユーザーは、第１のシステム構成に対応する印刷条件が設定されたページと、第２のシステム構成に対応する印刷条件が設定されたページとを単一ジョブに混在させて予約登録することができるので、従来のように、異なるシステム構成で印刷すべき一まとまりのページをそれぞれシステム構成毎にジョブとして登録して個別に管理する必要がなくなり、ユーザーが容易にジョブの管理を行うことが可能となる。
例えば、封筒定着器である第２の定着ユニット６３２を装着して封筒に印刷するページと、通常定着器である第１の定着ユニット６３１を装着して封筒の中身の文書を封筒とは異なる用紙に印刷するページが混在したジョブを単一のジョブとして登録することができるので、従来のように、封筒を印刷するジョブと中身を印刷するジョブを個別に管理する必要がなくなる。
【００８３】
また、画像形成装置１においては、第１のシステム構成に対応する印刷条件が設定されたページと、第２のシステム構成に対応する印刷条件が設定されたページと、が混在した単一ジョブを操作部３２から設定可能に構成されているので、ユーザーは、画像形成装置１において第１のシステム構成に対応する印刷条件が設定されたページと、第２のシステム構成に対応する印刷条件が設定されたページと、が混在した単一ジョブを設定することが可能となる。
【００８４】
また、制御部１１０は、複数のジョブが登録されている場合は、登録されている複数のジョブの中から画像形成装置１の現在のシステム構成で印刷可能なページを抽出してプリント部４０により印刷させるので、複数のジョブが登録されている場合においても、特にユーザーの操作を必要とすることなく、現在のシステム構成で印刷可能なページの印刷のみを行うことが可能となる。
【００８５】
また、制御部１１０は、ジョブに基づく印刷時に、印刷されたページと印刷されていない未印刷のページの情報（印刷フラグ）を記録しておき、印刷後に、印刷フラグに基づいて、ジョブに未印刷のページが存在するか否かを判断し、未印刷のページが存在すると判断した場合には、当該未印刷のページを含むジョブを印刷されたページと印刷されていない未印刷のページの情報（即ち、印刷フラグ）に対応付けて一時保存ジョブ領域に記憶させる。従って、未印刷のページがあるジョブを、どのページが未印刷であるのかを識別可能に保存しておくことが可能となる。
【００８６】
また、制御部１１０により、画像形成装置１のシステム構成が変更され、一時保存ジョブ領域に記憶されたジョブにおける未印刷のページの印刷が可能となった場合に、プリント部４０に未印刷のページの印刷を実行させるようにすることで、未印刷のページの印刷漏れを防止することが可能となる。
【００８７】
また、制御部１１０により、操作部３２からの指示に応じて一時保存ジョブ領域に記憶されているジョブの一覧を表示部３１に表示させ、ジョブの一覧の中から操作部３２により出力が指示されたジョブの、現在の画像形成装置のシステム構成で印刷可能な未印刷のページをプリント部４０に印刷させるようにすることで、ユーザーが所望するタイミングで、一時保存ジョブ領域に記憶されたジョブの未印刷のページを印刷することが可能となる。
【００８８】
また、制御部１１０は、表示部３１に表示されたジョブの一覧の中から操作部３２によりジョブが選択された場合、選択されたジョブに未印刷のページがあるか否かを判断し、未印刷のページがあると判断した場合は、当該未印刷のページが現在の画像形成装置１のシステム構成で印刷可能であるか否かを判断し、未印刷のページが現在の画像形成装置のシステム構成で印刷不可能な場合はユニットの交換を促す通知を表示部３１に表示させる。従って、ユーザーは、選択したジョブに未印刷のページがあること、この未印刷のジョブを印刷するには、ユニットの交換が必要であることを認識することができる。
【００８９】
また、制御部１１０により一時保存ジョブ領域に記憶されているジョブの一覧を表示部３１に表示する際に、現在の画像形成装置１のシステム構成で各ジョブの未印刷のページが印刷可能であるか否かを判断し、印刷可能であると判断したジョブと、印刷不可能であると判断したジョブを異なる表示態様で表示するようにしてもよい。このような表示態様とすることで、ユーザーは、ジョブの選択操作をすることなく、一覧に表示された各ジョブの何れが印刷可能で何れか印刷不可能であるのかを認識することが可能となる。
【００９０】
また、一時保存ジョブ領域に記憶されているジョブの一覧の項目として、各ジョブにおける未印刷のページの有無を示す情報を表示することとしてもよい。このような表示態様とすることにより、ユーザーは、リストからジョブを選択する操作をすることなく、各ジョブに未印刷のページがあるか否かを容易に認識することが可能となる。
【００９１】
また、一時保存ジョブ領域に記憶されているジョブの一覧の項目として、各ジョブにおける第１のシステム構成で印刷可能なページ数と、第２のシステム構成で印刷可能なページ数を表示するようにしてもよい。このような表示態様とすることで、ユーザーは、リストからジョブを選択する操作を行うことなく、各ジョブにおける第１のシステム構成で印刷可能なページ数と、第２のシステム構成で印刷可能なページ数を認識することが可能となる。
【００９２】
また、一時保存ジョブ領域に記憶されているジョブの一覧において、第１のシステム構成で印刷可能なページが印刷済みのジョブ又は第２のシステム構成で印刷可能なページが印刷済みのジョブに対しては、その旨を示す識別記号を表示するように構成することで、ユーザーは、ジョブを選択することなく、各ジョブのうち印刷済みのページを把握することが可能となる。
【００９３】
また、ジョブの一覧の項目の中から操作部３２により選択された項目でソートしてジョブの一覧を表示する構成とすることで、ユーザーは、所望する順番でジョブを並び替えて表示することが可能となり、ジョブの管理が容易となる。
【００９４】
また、制御部１１０は、プリント部４０により印刷対象となったジョブの全てのページの印刷が完了した場合には、そのジョブを一時保存ジョブ領域から削除することができるので、余分なジョブが保存されていることによるメモリー容量の圧迫を抑えることが可能となる。
【００９５】
なお、上記実施の形態における記述は、本発明に係る画像形成装置の好適な一例を示すものであり、これに限定されるものではない。
【００９６】
例えば、本発明の上記実施の形態においては、第１のシステム構成と第２のシステム構成の例として、それぞれ封筒以外の用紙用と封筒用の定着ユニットを装着した場合を例にとり説明したが、これに限定されない。例えば、大量に同一サイズ（例えば、Ａ４サイズ）を印刷した後、そのサイズよりも大きいサイズ（例えば、Ａ３サイズ）を印刷すると、前ジョブ（上記のＡ４サイズ）の紙エッジの跡が大きいサイズの画像上にスジのように残ってしまう定着スジといわれる現象が起こることが知られている。これに対応するため、画像形成装置１において、小さい紙サイズ用（例えば、Ａ４サイズ）の定着ユニットと大きい紙サイズ用（例えば、Ａ３）の定着ユニットを装着可能とし、小さいサイズ用の定着ユニットを装着したシステム構成と大きいサイズ用の定着ユニットを装着したシステム構成が変更可能である場合にも、本発明を適用可能である。
【００９７】
また、上記の説明では、本発明に係るプログラムのコンピュータ読み取り可能な媒体として、ＲＯＭ、不揮発性メモリー、ハードディスク等を使用した例を開示したが、この例に限定されない。その他のコンピュータ読み取り可能な媒体として、ＣＤ−ＲＯＭ等の可搬型記録媒体を適用することが可能である。また、本発明に係るプログラムのデータを通信回線を介して提供する媒体として、キャリアウエーブ（搬送波）も適用される。
【００９８】
その他、画像形成装置１の細部構成及び細部動作に関しても、本発明の趣旨を逸脱することのない範囲で適宜変更可能である。
【符号の説明】
【００９９】
１  画像形成装置
１ａ  本体部
１ｂ  プリンタコントローラー
２  外部装置
３  ネットワーク
１１  コントローラー制御部
１２  ＤＲＡＭ制御ＩＣ
１３  画像メモリー
１４  ＬＡＮＩＦ
２０  画像読取部
２１  スキャナー
３０  操作表示部
３１  表示部
３１１  機械状態表示画面
３１２  保存ジョブリスト画面
３２  操作部
４０  プリント部
４１  プリンタエンジン
６３  定着ユニット
６３１  第１の定着ユニット
６３２  第２の定着ユニット
６３ａ  ポート
１００  画像制御基板
１１０  制御部
１２１  不揮発メモリー
１２１ａ  印刷可能ジョブテーブル
１２２  ＲＡＭ
１３０  ＨＤＤ
１４０  読取処理部
１５０  圧縮ＩＣ
１６０  ＤＲＡＭ制御ＩＣ
１７０  画像メモリー
１７１  圧縮メモリー
１７２  ページメモリー
１８０  伸張ＩＣ
１９０  書込処理部
２００  画像読取制御部
３００  操作表示制御部
４００  プリント制御部
【図１】
0005834763.tif 000002
【図２】
0005834763.tif 000003
【図３】
0005834763.tif 000004
【図４】
0005834763.tif 000005
【図５】
0005834763.tif 000006
【図６】
0005834763.tif 000007
【図７】
0005834763.tif 000008
【図８】
0005834763.tif 000009
【図９】
0005834763.tif 000010
【図１０】
0005834763.tif 000011
【図１１】
0005834763.tif 000012
【図１２】
0005834763.tif 000013
【図１３ａ】
0005834763.tif 000014
【図１３ｂ】
0005834763.tif 000015
【図１４】
0005834763.tif 000016
【図１５】
0005834763.tif 000017
【図１６】
0005834763.tif 000018
【図１７】
0005834763.tif 000019
【図１８ａ】
0005834763.tif 000020
【図１８ｂ】
0005834763.tif 000021